(57)【要約】【課題】利用者が快適に利用できるカラオケ掲示板の運用方法を提供する。【解決手段】各地に散在する多数のカラオケ演奏端末と、カラオケ演奏端末と情報通信網で結合されるメッセージ管理サーバーと、メッセージ管理サーバーと情報通信網を介して通信する投稿者の利用者コンピュータとが連携するカラオケ掲示板の運用方法であって、投稿者は利用者コンピュータにより楽曲を特定した上でその楽曲の関連メッセージをメッセージ管理サーバーに投稿し、メッセージ管理サーバーは投稿された楽曲関連メッセージを楽曲識別子および投稿日時に対応づけして管理し、カラオケ演奏端末はある楽曲の演奏準備プロセスにおいてメッセージ管理サーバーにその楽曲を指定して楽曲関連メッセージを要求して該当する楽曲関連メッセージ集合をそれらの投稿順情報とともに取り寄せ、その集合を該当楽曲を演奏する際の歌詞表示画面の余白に投稿順に従って表示する。【選択図】　　　図６
2004061709.tif 000002
【特許請求の範囲】
【請求項１】
各地に散在する多数のカラオケ演奏端末と、これらカラオケ演奏端末と情報通信網で結合されるメッセージ管理サーバーと、このメッセージ管理サーバーと情報通信網で結合可能な投稿者が取り扱う不特定の利用者コンピュータとが連携するカラオケ掲示板の運用方法であって、
投稿者は、利用者コンピュータによりメッセージ管理サーバーにアクセスし、楽曲を特定した上で、その楽曲に関連したメッセージを投稿し、
メッセージ管理サーバーは、投稿された楽曲関連メッセージを楽曲識別子および投稿日時に対応づけして管理し、
カラオケ演奏端末は、ある楽曲の演奏準備プロセスにおいてメッセージ管理サーバーにアクセスし、その楽曲を指定して楽曲関連メッセージを要求し、
メッセージ管理サーバーは、要求された楽曲関連メッセージ集合をそれらの投稿順情報とともに要求してきたカラオケ演奏端末に送達し、
カラオケ演奏端末は、受領した楽曲関連メッセージ集合を、該当楽曲を演奏するときに、カラオケ歌詞表示画面の余白部分に投稿順に従って表示する、
ことを特徴とするカラオケ掲示板の運用方法。
【請求項２】
請求項１に記載の運用方法に適用される前記メッセージ管理サーバーであって、
各地に散在する多数のカラオケ演奏端末と情報通信網を介して通信する手段と、
不特定の利用者コンピュータと情報通信網を介して通信する手段と、
前記利用者コンピュータにより楽曲が特定された上で楽曲関連メッセージが送付されてくると、当該メッセージを楽曲識別子および投稿日時に対応づけして管理するメッセージ管理手段と、
あるカラオケ演奏端末により楽曲が指定された上で楽曲関連メッセージの要求が送付されてくると、当該端末に該当の楽曲関連メッセージ集合をそれらの投稿順情報とともに送達するメッセージ集合送付手段と、
を備えたことを特徴とするメッセージ管理サーバー。
【請求項３】
請求項２において、前記メッセージ管理手段は、前記利用者コンピュータにより楽曲とともにレイアウトが特定された上で楽曲関連メッセージが送付されてくると、当該メッセージを楽曲識別子と投稿日時とレイアウト情報とに対応づけして管理し、前記メッセージ集合送付手段は、楽曲関連メッセージ集合とそれらの投稿順情報と当該集合中の各メッセージについてのレイアウト情報とを送達することを特徴とするメッセージ管理サーバー。
【請求項４】
請求項３において、各楽曲についての楽曲関連メッセージ集合のカラオケ演奏端末における表示状態をレイアウト情報に基づいて解析する手段を備え、前記メッセージ管理手段は、前記解析手段がすべての楽曲関連メッセージをカラオケ演奏端末で表示できないと判定した場合、表示可能な数になるまで楽曲関連メッセージを古いものから削除することを特徴とするメッセージ管理サーバー。
【請求項５】
請求項２〜４のいずれかにおいて、各楽曲についての楽曲関連メッセージ集合のカラオケ演奏端末における表示状態を各楽曲の演奏時間に基づいて解析する手段を備え、前記メッセージ管理手段は、前記解析手段がすべての楽曲関連メッセージをカラオケ演奏端末で表示できないと判定した場合、表示可能な数になるまで楽曲関連メッセージを古いものから削除することを特徴とするメッセージ管理サーバー。
【請求項６】
請求項１の運用方法に適用される前記カラオケ演奏端末であって、
所定の情報通信網を介してメッセージ管理サーバーと通信する手段と、
ある楽曲の演奏準備プロセスにおいてメッセージ管理サーバーにアクセスし、その楽曲を指定して楽曲関連メッセージを要求するメッセージ要求手段と、
メッセージ管理サーバーより受領したある楽曲についての楽曲関連メッセージ集合を、該当楽曲を演奏するときに、カラオケ歌詞表示画面の余白部分に投稿順に従って表示するメッセージ掲示手段と、
を備えたことを特徴とするカラオケ演奏端末。
【請求項７】
請求項６において、表示対象の楽曲関連メッセージ集合を各メッセージに付帯するレイアウト情報に従ってレイアウト別のメッセージ集合に仕分けするレイアウト別メッセージ分類手段を備え、前記メッセージ掲示手段は、当該分類手段により分類された各レイアウト別メッセージ集合をそれぞれに所定の文字配置や表現で表示することを特徴とするカラオケ演奏端末。
【請求項８】
請求項７において、利用者入力によりレイアウトの指定情報を受け付ける手段を備え、前記メッセージ掲示手段は、前記受領した楽曲関連メッセージ集合中で利用者が指定したレイアウトに属するメッセージ集合を表示することを特徴とするカラオケ演奏端末。
【請求項９】
請求項６において、利用者入力によりレイアウトの指定情報を受け付ける手段を備え、前記メッセージ掲示手段は、前記受領した楽曲関連メッセージ集合を利用者が指定したレイアウトの文字配置や表現で表示することを特徴とするカラオケ演奏端末。
【請求項１０】
請求項６〜９のいずれかにおいて、受領した楽曲関連メッセージ集合の表示状態をレイアウト情報に基づいて解析する手段と、この解析手段がすべての楽曲関連メッセージを表示できないと判定した場合、表示可能な数になるまで楽曲関連メッセージを古いものから削除する手段とを備えたことを特徴とするカラオケ演奏端末。
【請求項１１】
請求項６〜１０のいずれかにおいて、受領した楽曲関連メッセージ集合の表示状態を該当楽曲の演奏時間に基づいて解析する手段と、この解析手段がすべての楽曲関連メッセージを表示できないと判定した場合、表示可能な数になるまで楽曲関連メッセージを古いものから削除する手段とを備えたことを特徴とするカラオケ演奏端末。
【発明の詳細な説明】
【０００１】
【発明の属する技術分野】
本発明はカラオケ装置で演奏楽曲に関連する投稿メッセージを表示するカラオケ掲示板の運用方法と、この運用方法に適用されるメッセージ管理サーバー、およびカラオケ演奏端末に関する。
【０００２】
【発明の背景】
失恋したときに街角で聞いた曲、解散したお気に入りのバンドが最後にリリースした曲など、誰にでも特別な思い入れをしている特定の曲がある。また、同じ曲であってもその思い入れの気持ちは人それぞれである。例えば、入学試験の合格発表日に同じ曲を聞いても合格した人とそうでない人とでは全く思い入れが違う。しかし、思い入れの気持ちは様々であっても、その曲をどこかで聞けばひととき当時の思い出に浸ることができる。そして、誰でもその思い入れの気持ちを他の誰かに伝えたり、他の誰かが同じ曲に対してどのような思い入れを持っているのかを知りたいと思ったりするはずである。
【０００３】
【発明の開示】
本発明者らは、ある人が、特定の楽曲に対する思い入れを他人と共有したり、同じ曲に対する他の人の思い入れを知ったりする機会があれば、その曲に悲しい思い出でがあったとしても別の気持ちでその曲に向き合うことができたり、あるいは、うれしかった思い出を他人と存分に分かち合えたりできるかもしれないと考えた。
【０００４】
そして、不特定多数の人たちにさまざまな曲に対するそれぞれの思い入れをメッセージにしてもらい、そのメッセージを通信カラオケシステムのインフラを活用してカラオケ演奏端末で掲示したいと考えた。また、特定の曲に特別な思い入れがない人であっても、カラオケの場では歌唱していない人が手持ち無沙汰であり、自分の歌唱の順番が回ってくるまで時間をもてあましていることが多いことを鑑みた場合、曲に対する思い入れをつづったメッセージ集を掲示することは、このような暇な歌唱者以外の人たちに話題を提供し、場を盛り上げることに繋がるとも考えた。
【０００５】
ここで、カラオケ演奏端末をメッセージの掲示板として使用する際の条件や課題を考察すると、不特定多数の人が特定の曲に対するメッセージを自在に投稿できること、掲示されるメッセージが特定の曲に対する思い入れが込められたものであることを現にカラオケ演奏端末を使用している人たちに伝えることができるようにすること、カラオケ利用者に快適なカラオケ掲示板の閲覧環境を提供すること、メッセージを掲示することによって本来のカラオケ演奏端末の歌唱利用に支障を来たさないようにすることなど、メッセージの投稿方法や掲示方法にさまざまな工夫が必要であることがわかった。
【０００６】
このような技術的状況や社会的状況の認識に基づいて本発明が創作された。◎基本となる方法発明は、つぎの事項（１）〜（６）により特定されるものである。
（１）各地に散在する多数のカラオケ演奏端末と、これらカラオケ演奏端末と情報通信網で結合されるメッセージ管理サーバーと、このメッセージ管理サーバーと情報通信網に結合可能な投稿者が取り扱う不特定の利用者コンピュータとが連携するカラオケ掲示板の運用方法である。
（２）投稿者は、利用者コンピュータによりメッセージ管理サーバーにアクセスし、楽曲を特定した上で、その楽曲に関連したメッセージを投稿する。
（３）メッセージ管理サーバーは、投稿された楽曲関連メッセージを楽曲識別子および投稿日時に対応づけして管理する。
（４）カラオケ演奏端末は、ある楽曲の演奏準備プロセスにおいてメッセージ管理サーバーにアクセスし、その楽曲を指定して楽曲関連メッセージを要求する。
（５）メッセージ管理サーバーは、要求された楽曲関連メッセージ集合をそれらの投稿順情報とともに要求してきたカラオケ演奏端末に送達する。
（６）カラオケ演奏端末は、受領した楽曲関連メッセージ集合を、該当楽曲を演奏するときに、カラオケ歌詞表示画面の余白部分に投稿順に従って表示する。
【０００７】
この発明の技術思想は、つぎのメッセージ管理サーバーにも及んでいる。
各地に散在する多数のカラオケ演奏端末と情報通信網を介して通信する手段と、不特定の利用者コンピュータと情報通信網を介して通信する手段と、前記利用者コンピュータにより楽曲が特定された上で楽曲関連メッセージが送付されてくると、当該メッセージを楽曲識別子および投稿日時に対応づけして管理するメッセージ管理手段と、あるカラオケ演奏端末により楽曲が指定された上で楽曲関連メッセージの要求が送付されてくると、当該端末に該当の楽曲関連メッセージ集合をそれらの投稿順情報とともに送達するメッセージ集合送付手段とを備えたメッセージ管理サーバー。
【０００８】
前記メッセージ管理手段は、前記利用者コンピュータにより楽曲とともにレイアウトが特定された上で楽曲関連メッセージが送付されてくると、当該メッセージを楽曲識別子と投稿日時とレイアウト情報とに対応づけして管理し、前記メッセージ集合送付手段は、楽曲関連メッセージ集合とそれらの投稿順情報と当該集合中の各メッセージについてのレイアウト情報とを送達するメッセージ管理サーバー。
【０００９】
また、このメッセージ管理サーバーにおいて、各楽曲についての楽曲関連メッセージ集合のカラオケ演奏端末における表示状態をレイアウト情報に基づいて解析する手段を備え、前記メッセージ管理手段は、前記解析手段がすべての楽曲関連メッセージをカラオケ演奏端末で表示できないと判定した場合、表示可能な数になるまで楽曲関連メッセージを古いものから削除するメッセージ管理サーバー。
【００１０】
上記各メッセージ管理サーバーにおいて、各楽曲についての楽曲関連メッセージ集合のカラオケ演奏端末における表示状態を各楽曲の演奏時間に基づいて解析する手段を備え、前記メッセージ管理手段は、前記解析手段がすべての楽曲関連メッセージをカラオケ演奏端末で表示できないと判定した場合、表示可能な数になるまで楽曲関連メッセージを古いものから削除するように構成したメッセージ管理サーバー。
【００１１】
また本発明の技術思想は、つぎのカラオケ演奏端末にも及んでいる。
所定の情報通信網を介してメッセージ管理サーバーと通信する手段と、ある楽曲の演奏準備プロセスにおいてメッセージ管理サーバーにアクセスし、その楽曲を指定して楽曲関連メッセージを要求するメッセージ要求手段と、メッセージ管理サーバーより受領したある楽曲についての楽曲関連メッセージ集合を、該当楽曲を演奏するときに、カラオケ歌詞表示画面の余白部分に投稿順に従って表示するメッセージ掲示手段とを備えたカラオケ演奏端末。
【００１２】
表示対象の楽曲関連メッセージ集合を各メッセージに付帯するレイアウト情報に従ってレイアウト別のメッセージ集合に仕分けするレイアウト別メッセージ分類手段を備え、前記メッセージ掲示手段は、当該分類手段により分類された各レイアウト別メッセージ集合をそれぞれに所定の文字配置や表現で表示するカラオケ演奏端末。
【００１３】
このカラオケ演奏端末において、利用者入力によりレイアウトの指定情報を受け付ける手段を備え、前記メッセージ掲示手段は、受領した楽曲関連メッセージ集合中で利用者が指定したレイアウトに属するメッセージ集合を表示するように構成したカラオケ演奏端末。
【００１４】
利用者入力によりレイアウトの指定情報を受け付ける手段を備え、前記メッセージ掲示手段は、受領した楽曲関連メッセージ集合を利用者が指定したレイアウトの文字配置や表現で表示するカラオケ演奏端末。
【００１５】
上記のいずれかのカラオケ演奏端末において、ある楽曲についての楽曲関連メッセージ集合の表示状態をレイアウト情報に基づいて解析する手段と、この解析手段がすべての楽曲関連メッセージを表示できないと判定した場合、表示可能な数になるまで楽曲関連メッセージを古いものから削除する手段とを備えた構成のカラオケ演奏端末。
【００１６】
上記いずれかのカラオケ演奏端末において、ある楽曲についての楽曲関連メッセージ集合の表示状態を当該楽曲の演奏時間に基づいて解析する手段と、この解析手段がすべての楽曲関連メッセージを表示できないと判定した場合、表示可能な数になるまで楽曲関連メッセージを古いものから削除する手段とを備えた構成のカラオケ演奏端末。
【００１７】
【発明の実施の形態】
＝＝＝ネットワーク構成＝＝＝
図１は本発明の方法によって運用されるカラオケ掲示板のシステム構成を示している。各地に散在するカラオケ演奏端末（以下、演奏端末）１とホスト装置２とが公衆電話網３に接続されて周知の通信カラオケシステムが構築されている。ホスト装置２は、多数のカラオケ楽曲についてのカラオケ伴奏音楽と歌詞画像の生成起源となるカラオケデータを蓄積・管理するとともに、新譜のカラオケデータなどを演奏端末１に適時に配信する。
【００１８】
また、カラオケ事業者が運営するメッセージ管理サーバー４がインターネット６および公衆電話網３の双方に接続されている。このメッセージ管理サーバー４は、一般利用者が操作する不特定多数の利用者コンピュータ５とインターネット６を介して通信するとともに各地の演奏端末１とも公衆電話網３を介して通信するように構成されている。なお、ブラウザ機能付き携帯電話機５も利用者コンピュータ５として移動体通信網７およびゲートウェイ８を経由してインターネット６に接続してメッセージ管理サーバー４と通信する。
【００１９】
＝＝＝メッセージ管理サーバー＝＝＝
メッセージ管理サーバー４は、ＷＷＷサーバーとしての基本機能を備え、利用者コンピュータ５とのＨＴＴＰ通信を通じて利用者による楽曲関連メッセージの投稿を受け付けてこれを蓄積・管理する。また、演奏端末１と適時に通信し、適宜な楽曲関連メッセージを送達する。メッセージ管理サーバー４は、多数の楽曲関連メッセージのそれぞれについて、演奏端末１に演奏予約を指示する際に使用される楽曲番号やその他の付帯情報を対応づけしてメッセージデータベースに蓄積・管理している。また演奏端末１が演奏可能なカラオケ楽曲についての楽曲番号・曲名・アーティスト名などの目次情報を楽曲索引データベースに蓄積・管理し、ホスト装置２における新譜のカラオケデータの追加などに連動してこの楽曲索引データベースを逐次更新している。
【００２０】
なお、メッセージ管理サーバー４とホスト装置２とは、別体のコンピュータシステムであってもよいし、同じコンピュータシステムに実装されたソフトウエアによってそれぞれの機能を実現させた形態であってもよい。また楽曲索引データベースなど双方の機能の一部が共有されている形態であってもよい。
【００２１】
＝＝＝メッセージの投稿＝＝＝
楽曲関連メッセージの投稿希望者は、自身の利用者コンピュータ５をブラウザによりメッセージ管理サーバー４にアクセスさせる。メッセージ管理サーバー４は、この利用者コンピュータ５にメッセージの投稿を受け付けるＷｅｂページ（メッセージ投稿ページ）を送達する。図２にメッセージ投稿ページの概略を示した。このページ３０には楽曲を特定するための曲名や楽曲番号などの楽曲特定情報の記入欄３１，３２と、その楽曲に関連するメッセージの記入欄３７と、この楽曲関連メッセージについての掲示方法（レイアウト）を選択肢の中から指示するためのチェック欄３３ａ〜３３ｃとが含まれている。なお特定のレイアウト３３ｃについてはさらに詳細な設定事項３３ｄを選択するようになっている。またこの例では、投稿者の個人情報の記入欄３４もある。利用者コンピュータ５にて、曲名や楽曲番号などの楽曲特定情報とメッセージなどの各種情報が記入されるとともに、特定のレイアウトが指示された状態で送信ボタン３５が指示されると、これらの入力情報がメッセージ管理サーバー４に送達される。
【００２２】
なおこの投稿ページ３０には、正確な曲名や楽曲番号がわからない場合に対応して検索ボタン３６が配設されている。このボタン３６を指示すると、メッセージ管理サーバー４における楽曲検索機能が呼び出される。すなわち、利用者コンピュータ５が曲名やアーティスト名の頭文字などの断片的な目次情報をメッセージ管理サーバー４に送り、メッセージ管理サーバー４はその断片情報を楽曲索引データベースに照会して該当する楽曲を提示する。そして最終的に１曲に絞り込まれると、この楽曲の曲名と楽曲番号とを先のメッセージ投稿ページ３０に記入した状態で利用者コンピュータ５に送達する。
【００２３】
メッセージ管理サーバー４は、メッセージ投稿ページ３０に記入・指示された各種情報を受け取ると、楽曲特定情報を楽曲検索データベースに照会して該当する楽曲についての詳細な目次情報を取得する。そして、この目次情報とメッセージやレイアウトなどを記載した確認を求めるＷｅｂページを返送する。図３にこの確認ページの概略図を示した。投稿希望者は、確認ページ４０の記載事項に誤りがなければ、このページ４０の確認ボタン４１をブラウザにより指示してその旨をメッセージ管理サーバー４に送付する。誤りがあれば、戻るボタン４２を押して先のメッセージ投稿ページ３０を再度取り寄せる。メッセージ管理サーバー４は、送付した確認ページ４０に対して確認の旨のデータが返送されると、楽曲関連メッセージに特定された楽曲の楽曲番号とレイアウトに関する指示情報とこの返送日時を投稿日時として対応づけしてメッセージデータベースに登録する。
【００２４】
＝＝＝カラオケ演奏端末の基本的な構成と動作＝＝＝
本発明の実施例における演奏端末１は、従来の通信カラオケシステムのそれと同様のハードウエア構成を採用している。図４にこの演奏端末の機能ブロック図を示した。中央制御部１１は、各周辺構成部を制御してこの演奏端末１を統括している。ハードディスク装置１２はＭＩＤＩデータを主体とした伴奏音楽データと、歌詞画像の生成起源となる歌詞描出データとを含むカラオケデータを多数曲分蓄積している。また、ハードディスク装置１２には所定形式の長時間分の動画データと、動画データの処理理シーケンス（処理すべき動画データの格納場所と処理順番など）を規定した台本データをも格納されている。
【００２５】
中央制御部１１は、各楽曲のカラオケデータと台本データとを楽曲番号によって識別・管理し、カラオケ装置１本体に配設されている操作パネル１４やリモコン送信器１３から楽曲番号を含んだ演奏予約コマンドを操作制御部１５を介して受け付けると、その番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１６に転送して伴奏音楽を生成させる。また、歌詞データに基づいて伴奏音楽に同期して歌唱すべき箇所が色変わりする歌詞画像をビデオＲＡＭ２０に順次ビットマップ展開していく。また、台本データに基づいて所定の動画データを所定の順番で映像制御部２１に順次転送して歌詞画像の背景動画を復号させる。
【００２６】
ミキシングアンプ１７は伴奏音楽とマイクロホン１９に入力された歌唱音声とを混合・増幅してスピーカ１８より音響出力する。映像制御部２１は、復号した動画映像に歌詞画像をスーパーインポーズ処理してディスプレイ２２に表示出力する。
【００２７】
＝＝＝楽曲関連メッセージの表示＝＝＝
演奏端末１は、ある楽曲についての楽曲関連メッセージをその楽曲の演奏中に歌詞の余白に表示出力するカラオケ掲示板機能を備えている。本実施例では、リモコン送信器１３や操作パネル１４にこの掲示板機能を使用する旨の指示を受け付けるための操作キーがあり、演奏予約の楽曲番号に引き続いてこのキーを操作するとこの指示情報と楽曲番号とを含んだ演奏予約コマンドが送信される。
【００２８】
中央制御部１１は、この掲示板の使用指示を楽曲番号とともに操作制御部１５を介して受け取ると、楽曲番号を待ち行列に登録するとともに、この楽曲の演奏を開始するまでの適宜なタイミング時点で通信制御部２３を介してメッセージ管理サーバー４にアクセスするとともに、この番号をに送付して該当する楽曲関連メッセージを要求する。本実施例では、演奏予約を受け付けた時点でこの要求をしている。
【００２９】
メッセージ管理サーバー４は、演奏端末１から受け取った楽曲番号をメッセージデータベースに照会し、該当する楽曲関連メッセージの集合を投稿日時とレイアウト指示の情報などの付帯情報とともに演奏端末１に送達する。該当する楽曲関連メッセージが存在しないときはその旨を送達する。
【００３０】
演奏端末１の中央制御部１１は、楽曲関連メッセージ集合が送達されると一緒に送達された付帯情報とともにこれをハードディスク装置１２に格納する。そして、待ち行列からピックアップした楽曲番号に対応する楽曲関連メッセージ集合がハードディスク装置１２に格納されていることを認知すると、この楽曲の演奏処理に並行して該当の楽曲関連メッセージ集合をハードディスク１２より取り出し、この集合を歌詞の余白部分に表示する処理を行う。
【００３１】
具体的には、まず、楽曲関連メッセージ集合中の各メッセージをレイアウトの指示情報ごとの集合に分類する。さらに、各レイアウト別に分類されたメッセージ集合内で各メッセージをその投稿日時の古い順に並べる。そして、レイアウトに従うとともに歌詞文字と重ならないようにメッセージの文字列を配置した画像をビデオＲＡＭ２０にビットマップ展開する。表示制御部２１はこのビットマップ画像をディスプレイに表示出力する。なお本実施例では、メッセージを表示するときには背景映像を表示しないようにしている。
【００３２】
図５に本実施例における各レイアウトによるメッセージの表示状態を示した。寄せ書き表示（Ａ）は一画面中に表示できるメッセージ数が設定されており、古いメッセージから順にその設定数分のメッセージ５０を放射状に表示するとともに、この放射状のメッセージを回転表示する。それによって、表示当初に歌詞の文字列５１に隠れていたり、画面に収まりきらなかったりしたメッセージでも公平に表示されるようにしている。そして、放射上のメッセージ集合が一回転すると、つぎの寄せ書きを同じように表示する。スクロール表示（Ｂ）は行表示されたメッセージ５０を上から古い順にならべ、画面上方向にスクロールしていく。単独表示（Ｃ）は、一画面に一つのメッセージ５０をその投稿時に指定された映像効果に従った配置や表現で表示する。なお、図６に以上説明したメッセージの投稿から表示までの手順図を示した。
【００３３】
＝＝＝メッセージの表示制御について＝＝＝
演奏端末は、レイアウトの指示を利用者入力により受け付け、指定されたレイアウトのメッセージ集合のみを表示することもできる。また、メッセージ管理サーバーにメッセージを要求する際にこのレイアウトの指示情報も送付して、該当するメッセージのみを取り寄せるように構成してもよい。それによって、余分なメッセージを格納しなくて済む。取り寄せにかかる時間やコストも少なくて済む。
【００３４】
全メッセージを取り寄せておいて、指定されたレイアウトに属するメッセージのみを表示するようにしてもよい。それによって、例えば、演奏中にレイアウトを利用者の指示に従って変えながらメッセージを表示させることができる。投稿者側ではメッセージに対するレイアウトを指定できず、演奏端末の利用者側でレイアウトを指定するように構成してもよい。
【００３５】
前奏・間奏・後奏時には歌詞が無いので寄せ書き表示を行うなど、レイアウトごとにメッセージの表示時期を制御することも可能である。
【００３６】
１曲の演奏中に表示できるメッセージの数には限りがある。そこで、表示できる数を超えた場合には古いメッセージを表示しないようにしてもよい。古いメッセージは演奏端末側で削除あるいは非表示にする構成と、メッセージ管理サーバー側で削除あるいは要求を受けても送達しない構成とがある。
【００３７】
レイアウトによっても表示可能なメッセージの数は変化する。もちろん、一つのメッセージに含まれる文字数によっても表示できるメッセージの数が変わる。そこで、メッセージ管理サーバー側あるいは演奏端末側でレイアウトごとにメッセージの表示状態を解析し、その解析結果として、すべてのメッセージを表示することができないと判定された場合、表示できる数になるまで古いメッセージから削除するようにしてもよい。
【００３８】
寄せ書きや単独表示の場合には１画面の切り替え時間を調整し、スクロール表示ではその速度を調整することで、演奏時間中に表示できるメッセージの数を可変制御することも可能である。
【００３９】
なお、表示可能なメッセージ数は楽曲演奏時間にも依存することから、該当する楽曲の演奏時間から表示可能なメッセージ数を算出することもできる。
【００４０】
＝＝＝楽曲関連メッセージの要求時期について＝＝＝
楽曲関連メッセージの要求は、演奏予約時に限らず、その後逐次取り寄せるようにしてもよい。例えば、楽曲演奏中に逐次取り寄せ、常に最新のメッセージを表示するようにしてもよい。
【００４１】
楽曲の演奏履歴などに基づいて、例えば、リクエスト回数が多い楽曲については随時メッセージを取り寄せるようにしてもよい。もちろん、全楽曲についてのメッセージを定期的に取り寄せ、ある楽曲が演奏予約された場合には、その楽曲についての差分の楽曲関連メッセージを取り寄せる構成とすることもできる。
【００４２】
＝＝＝カラオケ掲示板のシステム構成について＝＝＝
カラオケ掲示板のシステム構成は、上記実施例に限らず、演奏端末にインターネット接続機能を実装し、メッセージ管理サーバーとがインターネットを介して通信する構成としてもよい。
【００４３】
また、演奏端末自体をパーソナルコンピュータなどの汎用コンピュータを付属させた構成としてもよい。そして、この付属コンピュータが演奏端末本体と通信して演奏予約の状況を把握し、メッセージ管理サーバーに楽曲関連メッセージを要求する。また、付属コンピュータが楽曲関連メッセージを受領してそれをカラオケ演奏端末に与える。
【００４４】
【発明の効果】
本発明のカラオケ掲示板の運用方法によれば、人それぞれに特定の楽曲に対する人それぞれの思い入れを不特定の利用者コンピュータでメッセージにして投稿することができる。そして、各地に散在するカラオケ演奏端末における楽曲演奏の際、その楽曲に関連するメッセージを表示出力することができる。
【図面の簡単な説明】
【図１】本発明の実施例における方法によって運用されるカラオケ掲示板システムを含むネットワーク構成図である。
【図２】上記ネットワークにおいて、メッセージ管理サーバーが利用者コンピュータに送達するメッセージ投稿ページの概略図である。
【図３】上記メッセージ管理サーバーが利用者コンピュータに送達する確認ページの概略図である。
【図４】上記カラオケ掲示板システムを構成するカラオケ演奏端末の機能ブロック図である。
【図５】上記カラオケ演奏端末における楽曲関連メッセージの表示状態図である。
【図６】上記カラオケ掲示板システムの運用手順図である。
【符号の説明】
１　カラオケ演奏端末
３　公衆電話網
４　メッセージ管理サーバー
５　利用者コンピュータ
６　インターネット
【図１】
2004061709.tif 000003
【図２】
2004061709.tif 000004
【図３】
2004061709.tif 000005
【図４】
2004061709.tif 000006
【図５】
2004061709.tif 000007
【図６】
2004061709.tif 000008